(57)【特許請求の範囲】
【請求項１】
二重の接続耳部を持つ扁平な袋状の中空形で且つ該袋の対向する内面の相互を空気流路形成下に離隔するスペーサを有し、前記二重の接続耳部の双方または一方が、それら接続耳部を空気流路形成下に離隔するスペーサを具有する中空防水シートであって、前記スペーサが、前記袋状部分及び接続耳部に分散した突条又は小突起により形成されている中空防水シートを、トンネルの防水工施工面に該面を覆うよう張り、隣り合う中空防水シートの地山側の接続耳部の相互、坑内側の接続耳部の相互を各々溶接することを特徴とするトンネルの防水工法。
【請求項２】
扁平な袋状の中空形で且つ該袋の対向する内面の相互を空気流路形成下に離隔するスペーサを有し、接続耳部が二重になった中空防水シートを間隔をあけてトンネルの防水工施工面に張り、隣り合う中空防水シートの接続に２枚の接続用防水シートを使用し、該２枚の接続用防水シートの少なくとも一方に、２枚の接続用防水シート相互を空気流路形成下に離隔するスペーサを持つものを用い、１枚の接続用防水シートを、隣り合う中空防水シートの地山側の接続耳部と接続耳部とに跨って溶接し、他の１枚の接続用防水シートを、該中空防水シートの坑内側の接続耳部と接続耳部とに跨って溶接することにより、二重の接続用防水シートからなる接続部を形成する工法であって、前記スペーサが、前記袋状部分及び接続耳部に分散した突条又は小突起により形成されているものであることを特徴とするトンネルの防水工法。
【請求項３】
トンネルの防水シートであって、接続耳部が二重でその双方または一方が、隣り合う防水シートの接続耳部を相互に接続したときに、それら接続耳部を空気流路形成下に離隔するスペーサを持ち、扁平な袋状の中空形で且つ該袋の対向する内面の相互を空気流路形成下に離隔するスペーサを具有し、前記スペーサが、前記袋状部分及び接続耳部に分散した突条又は小突起により形成されており、吸引管用接続部が袋状部分に設けられていることを特徴とするトンネルの防水シート。
【発明の詳細な説明】
【０００１】
【発明の属する技術分野】
本発明は、扁平な袋状の中空形の防水シートでトンネルの防水工施工面を覆うトンネルの防水工法及び防水シートに関する。
【０００２】
トンネルの防水工施工面をこのような防水シートで覆うと、防水シートが二重に施されるので、防水性は一重の防水シートの場合より良好である。
【０００３】
【従来の技術】
二枚の防水シートを重ね、幅方向の縁部を溶着して、扁平な袋状の中空形とされた防水シートによりトンネルの防水工施工面を覆うトンネルの防水工法は、既に知られている。しかし、従来技術では、次の問題がある。
中空防水シートは、密閉性が肝要である。密閉性が不良であると、中空形つまり二重構造の有用性を喪失する。密閉性検査のためには、中空防水シートの内部に陰圧が負荷される。
【０００４】
従来の中空防水シートでは、陰圧を負荷すると、中空防水シートにおける二重のシートは、中空防水シートの設けられた陰圧接続口に近い箇所の領域が相互に密着して、該接続口から遠い箇所まで陰圧が波及せず、密閉性検査の的確性が得られないことがある。従来、この点についての問題は解決されていない。
【０００５】
また従来では、覆工コンクリートの打設時に、中空防水シートが打設コンクリートで圧迫されて、中空防水シートのコンクリート打設領域の箇所が閉鎖されることがある。このため、中空防水シートの内部空気が覆工コンクリートの打設進行に伴い、コンクリート未打設領域の防水シート内部に偏り、内部空気が偏った箇所の中空防水シートが膨らんで他の箇所より高いテンションとなり、トンネルの防水工施工面に止着された部分の中空防水シートが剥がれ、防水施工不良となることがある。
【０００６】
尚、中空防水シートの密閉性検査には、陽圧ではなく、 陰圧の負荷が適用されるのが実状である。陽圧を負荷したとすると、覆工コンクリート打設に伴う内部空気の偏りによる中空防水シートの膨らみがより大きくなって、トンネルの防水工施工面から中空防水シートが剥れるがことがより大となる。
【０００７】
【発明が解決しようとする課題】
そこで本発明は、扁平な袋状の中空形の防水シートを適用するトンネルの防水工法において、密閉性検査のため、陰圧を中空防水シートの内部に負荷した場合、その陰圧が中空防水シートの実質上全域に波及し、的確な密閉性検査を行えるようにしようというものである。
【０００８】
本発明の他の課題は、トンネルの防水工施工面に張られた中空防水シートの内部空気が覆工コンクリートの打設で覆工コンクリート未打設領域へ偏ることに起因する、防水施工不良の問題を解消するにある。
【０００９】
【課題を解決するための手段】
上記課題解決のため本発明は、以下のトンネルの防水工法及び防水シートを提供するものである。
（１）二重の接続耳部を持つ扁平な袋状の中空形で且つ該袋の対向する内面の相互を空気流路形成下に離隔するスペーサを有し、前記二重の接続耳部の双方または一方が、それら接続耳部を空気流路形成下に離隔するスペーサを具有する中空防水シートであって、前記スペーサが、前記袋状部分及び接続耳部に分散した突条又は小突起により形成されている中空防水シートを、トンネルの防水工施工面に該面を覆うよう張り、隣り合う中空防水シートの地山側の接続耳部の相互、坑内側の接続耳部の相互を各々溶接することを特徴とするトンネルの防水工法。
（２）扁平な袋状の中空形で且つ該袋の対向する内面の相互を空気流路形成下に離隔するスペーサを有し、接続耳部が二重になった中空防水シートを間隔をあけてトンネルの防水工施工面に張り、隣り合う中空防水シートの接続に２枚の接続用防水シートを使用し、該２枚の接続用防水シートの少なくとも一方に、２枚の接続用防水シート相互を空気流路形成下に離隔するスペーサを持つものを用い、１枚の接続用防水シートを、隣り合う中空防水シートの地山側の接続耳部と接続耳部とに跨って溶接し、他の１枚の接続用防水シートを、該中空防水シートの坑内側の接続耳部と接続耳部とに跨って溶接することにより、二重の接続用防水シートからなる接続部を形成する工法であって、前記スペーサが、前記袋状部分及び接続耳部に分散した突条又は小突起により形成されているものであることを特徴とするトンネルの防水工法。
（３）トンネルの防水シートであって、接続耳部が二重でその双方または一方が、隣り合う防水シートの接続耳部を相互に接続したときに、それら接続耳部を空気流路形成下に離隔するスペーサを持ち、扁平な袋状の中空形で且つ該袋の対向する内面の相互を空気流路形成下に離隔するスペーサを具有し、前記スペーサが、前記袋状部分及び接続耳部に分散した突条又は小突起により形成されており、吸引管用接続部が袋状部分に設けられていることを特徴とするトンネルの防水シート。
【００１０】
上記（１）及び（２）のトンネルの防水工法によると、トンネルの防水工施工面には、実質上全体的に二重シート構造の防水工が施されることになる。
【００１１】
上記（３）の防水工における中空防水シート即ち二重の防水シートは、スペーサで空気流路形成下に離隔されている。従って、本発明の中空防水シートでは、内部に陰圧を負荷した場合、陰圧が中空防水シートの実質上全域に波及し、的確な気密性検査を行うことができる。
【００１２】
また、中空防水シートの対向する内面の相互が空気流路形成下に離隔されることは、覆工コンクリートの打設に起因する中空防水シートの内部空気の偏りをなくする。このため、トンネルの防水工施工面に止着された部分の中空防水シートが剥がれて、防水施工が不良となる問題を解消する。
【００１３】
中空防水シートの二重の接続耳部の双方または一方が、それら接続耳部を空気流路形成下に離隔するスペーサを具有するときは、二重の接続耳部についても、覆工コンクリート打設時の内部空気の偏りがなく、良好な防水性が得られる。
【００１５】
接続された二重の耳部の密閉性検査は、該耳部内空に対する陽圧の負荷で行えばよい。
上記（１）及び（２）の仕様の防水施工では、防水工の構成材が同じ中空防水シートという一種のもので足り、複数種の防水工構成材を用いる場合より、メンテナンスが簡易で済み有利である。
【００１６】
【発明の実施の形態】
本発明の実施形態につき、図面を参照して説明する。図において符号１を付したのが、本発明に係る扁平な袋状の中空形の防水シートである。該中空防水シート１は、二枚の防水シート１ａ及び１ａを重ねて幅方向の縁部をシールした二重シート構造になっている。中空防水シート１は吸引管用接続部Ｐを有する。
【００１７】
中空防水シート１には、前記袋状における袋の対向する内面の相互を、換言すると中空防止シートにおける二重のシート１ａ，１ａ相互を、実質上全域的に空気流路形成下に離隔するためのスペーサ２が設けられている。スペーサ２は、次のものを例として挙げることができる。シート１ａ，１ａの一方の内側に全域的に分散して形成された突条２３（図３）、シート１ａ，１ａの一方の内側に全域的に形成された並列する突条２４ａ及びシート１ａ，１ａ間に介在された格子状部材２４ｂによる複合体２４（図４）、シート１ａ，１ａの一方の内側に全域的に分散して形成された小突起２５（図５）または２６（図６）、シート１ａ，１ａの間に全域的に介在されたコイル状部材２７（図７）等。
【００１８】
中空防水シート１は二重の接続耳部１ｂ，１ｃを有する。中空防水シート１には、二重の接続耳部１ｂ，１ｃの双方または一方が、これら接続耳部１ｂ，１ｃ，を実質上全域的に空気流路形成下に離隔するためのスペーサ３付きとされたもの（図１）、或いはスペーサ付きでないもの（図２）が充当される。この二種の中空防水シートを区別する便宜上、接続耳部がスペーサ付き中空防水シートを第１の中空防水シート１ー１とし、接続耳部がスペーサ付きでない中空防水シートを第２の中空防水シート１ー２とする。
【００１９】
第一の中空防水シート１ー１及び第２の中空防水シート１ー２の施工法は、次の如くである。
【００２０】
（１）第１の中空防水シート１ー１は、トンネル長さ方向に隣接するよう並べて、トンネルの防水工施工面４に張り、隣接する第１の中空防水シート１ー１，１ー１の地山側の接続耳部１ｃ，１ｃ相互を溶接し、坑内側の接続耳部１ｂ，１ｂ相互を溶接する（図１０）。この溶接は、それ自体公知の適宜の仕様で行えばよい。
【００２１】
（２）第２の中空防水シート１ー２は、トンネル長さ方向に隣接するよう並べて、トンネルの防水工施工面４に張り、隣接する第２の中空防水シート１ー２，１ー２の地山側の接続耳部１ｃ，１ｃ相互を溶接し、坑内側の接続耳部１ｂ，１ｂ相互を溶接する。その溶接は、それ自体公知の適宜の仕様で行えばよい。
【００２２】
このケースの施工の図解は省略したが、図１０において二重の接続耳部１ｂ，１ｂ、１ｃ，１ｃのスペーサ３を省略したものが、当該図解に相当する。
【００２３】
（３）或いは第２の中空防水シート１ー２は、トンネル長さ方向に間隔をあけて、トンネル防水工施工面４に張り、隣接する第２の中空防水シート１ー２，１ー２の地山側の接続耳部１ｃ，１ｃに亘って二重シート１０，１０’の一方を、接続耳部１０ｃ’，１０ｃ’において溶接し、坑内側の接続耳部１ｂ，１ｂに亘って二重シートの他方を、接続耳部１０ｂ’，１０ｂ’において溶接する（図１１）。この溶接は、それ自体公知の適宜の仕様で行えばよい。
【００２４】
上記（２）及び（３）の仕様において、二重シート１０，１０’は、それらシート１０，１０’を実質上全域的に空気流路形成下に離隔するためのスペーサ２’を双方または一方が具有する。図示の例では、一方のシートがスペーサ２’付きになっている。スペーサ２’は、スペーサ２と同様なものを例として挙げることができる。隣接する中空防水シート１，１の接続耳部１ｂ，１ｂ，１ｃ，１ｃにシート１０，１０’の接続耳部が溶接されて形成された中空の防水シート１’には、吸引管用接続部Ｐ’が設けられる。
【００２５】
本発明ではトンネルの防水工施工面に、実質上全体的に二重シート構造になった防水工が施される。
【００２６】
【発明の効果】
本発明によると、扁平な袋状の中空形の防水シートを適用するトンネルの防水工法において、密閉性検査のため、中空防水シートの内部に陰圧を負荷した場合、その陰圧が中空防水シートの実質上全域に波及し、的確な密閉性検査を行い得る効果が奏功される。
【００２７】
また、トンネルの防水工施工面に張られた中空防水シートの内部空気が覆工コンクリートの打設で覆工コンクリート未打設領域へ偏ることがなく、トンネルの防水工施工面に止着された部分の中空防水シートが剥がれて、防水施工が不良となる問題を解消する。
【００２８】
請求項１及び２に係る防水施工、並びに請求項３の防水シートを用いた防水施工では、防水工の構成材が同じ中空防水シートという一種のもので足り、複数種の防水工構成材を用いる場合より、メンテナンスが簡易で済み有利である。
【図面の簡単な説明】
【図１】本発明に係る中空防水シートの一例を示す断面図である。
【図２】本発明に係る中空防水シートの他例の断面図を示す。
【図３】中空防水シートのスペーサの態様例を示す斜視図である。
【図４】前記と異なるスペーサの態様例の斜視図を示す。
【図５】スペーサの別の態様例を示す斜視図である。
【図６】スペーサの上記と異なる態様例を示す斜視図である。
【図７】スペーサの更に別の態様例を示す斜視図である。
【図８】図６に示されたスペーサの拡大正面図である。
【図９】図８のＩＸーＩＸ線断面図である。
【図１０】図１に示す中空防水シートによる防水工の施工仕様の模式斜視図である。
【図１１】図２に示す中空防水シートを用いる防水工の施工仕様の模式斜視図である。
【図１２】中空防水シートの吸引管を接続するための構造を示す断面図である。
【符号の説明】
１            中空防水シート
１ａ，１ａ    中空防水シートにおける二重のシート
１ｂ          接続耳部
１ｃ          接続耳部
１０，１０’  二重シート
１０ｂ        接続耳部
１０ｂ’      接続耳部
１０ｃ’      接続耳部
２，２’，３  スペーサ
Ｐ，Ｐ’      吸引管用接続部
４            トンネル防水工施工面
【図１】
0003918163.tif 000002
【図２】
0003918163.tif 000003
【図３】
0003918163.tif 000004
【図４】
0003918163.tif 000005
【図５】
0003918163.tif 000006
【図６】
0003918163.tif 000007
【図７】
0003918163.tif 000008
【図８】
0003918163.tif 000009
【図９】
0003918163.tif 000010
【図１０】
0003918163.tif 000011
【図１１】
0003918163.tif 000012
【図１２】
0003918163.tif 000013